(57)【要約】      （修正有）【課題】地震などの振動を確実に検知するとともに、初期設定状態への復帰を容易に行うことができる振動検知装置を提供する。【解決手段】振動検知装置２２は、基体に配置されたスイッチ手段と、回動軸部６２を中心に回動可能な箱体５３と、箱体に連結された操作体５４とを備える。箱体は、回動軸部の軸線と直交する方向に延びる所定内部空間を画定する複数の壁面および底面を有し、その底面がスイッチ手段の上方に位置するように配置される。球体が所定内部空間において底面を転動する。開口部が、所定内部空間の一方の端において、球体の一部が底面から下方に突出してスイッチ手段を作動させるように底面に形成される。載置部が、所定内部空間の他方の端において、球体が静止した状態で載るように底面に形成される。操作体が、載置部が開口部より上方に位置する回動状態に箱体を回動させるために操作可能である。【選択図】図１２
2014153233.tif 000002
【特許請求の範囲】
【請求項１】
基体と、
基体に配置されたスイッチ手段と、
所定回動軸線を中心に回動可能に基体に配置され、所定回動軸線と直交する方向に延びる所定内部空間を画定する複数の壁面および底面を有し、その底面がスイッチ手段の上方に位置するように配置された箱体と、
箱体の所定内部空間において底面を転動することが可能な転動体と、
箱体の所定内部空間の一方の端において、転動体の一部が底面から下方に突出してスイッチ手段を作動させるように底面に形成された開口部と、
箱体の所定内部空間の他方の端において、転動体が静止した状態で載るように底面に形成された載置部と、
載置部が開口部より上方に位置する回動状態に箱体を回動させるために操作可能であり、箱体に連結された操作体と、を備える振動検知装置。
【請求項２】
所定回動軸線は、開口部の形成位置と載置部の形成位置との間に位置する請求項１に記載の振動検知装置。
【請求項３】
操作体は、
所定回動軸線と直交する方向で、かつ箱体の所定内部空間が延びる方向と交差する方向に移動可能に基体または基体に固定された部材に配置され、
開口部または載置部に近接した位置において箱体に連結される請求項２に記載の振動検知装置。
【請求項４】
スイッチ手段は、箱体の所定内部空間の両端に近接した位置において、基体にそれぞれ配置された第１スイッチ手段および第２スイッチ手段を含み、
開口部および載置部は、転動体の一部が底面から下方に突出して第１スイッチ手段および第２スイッチ手段をそれぞれ作動させるように底面に形成された第１貫通孔および第２貫通孔からそれぞれ構成され、
操作体は、第１および第２貫通孔のうちで転動体が嵌入した一方の貫通孔が他の貫通孔より上方に位置する回動状態に箱体を回動させるために操作可能である請求項２または請求項３に記載の振動検知装置。
【請求項５】
第１スイッチ手段および第２スイッチ手段は、基体に固定される回路基板に配置され、
所定回動軸線は、回路基板における第１スイッチ手段の配置位置と第２スイッチ手段の配置位置との間の中央位置を通り、かつ回路基板に垂直な延長線上に位置する請求項４に記載の振動検知装置。
【請求項６】
第１スイッチ手段および第２スイッチ手段は、回路基板に配置された一対の固定接点からそれぞれ構成され、
転動体は、導電性材料により形成された球体から構成され、一対の固定接点と接触可能である請求項５に記載の振動検知装置。
【請求項７】
載置部に載っている転動体と接触可能なように載置部に近接した位置において底面から突出して設けられ、その突出量が調整可能な調整部を備える請求項１〜６のいずれかに記載の振動検知装置。
【請求項８】
請求項１〜７のいずれかに記載の振動検知装置と、
蓄電手段と、
電気的作動手段と、
振動検知装置のスイッチ手段を介して、蓄電手段からの電力を電気的作動手段に供給する供給回路と、を備える振動検知機能を有する作動装置。
【請求項９】
振動検知装置、蓄電手段、電気的作動手段、および供給回路を収容する筐体を備え、
振動検知装置の操作体の少なくとも一部が、筐体の外部に突出する請求項８に記載の振動検知機能を有する作動装置。
【請求項１０】
振動検知装置の箱体の複数の壁面のうち、少なくとも１つの壁面は、透明な壁面から構成され、
筐体は、透明な壁面を通して箱体の内部の転動体の位置を確認するための確認窓を有する請求項９に記載の振動検知機能を有する作動装置。
【請求項１１】
発電手段を備え、
蓄電手段は、発電手段により発電された電力を蓄電し、
電気的作動手段は、並列接続された複数の発光ダイオードから構成される請求項８〜１０のいずれかに記載の振動検知機能を有する作動装置。
【発明の詳細な説明】
【技術分野】
【０００１】
本発明は、地震などの振動により転動する転動体と、転動体の転動に応じて作動するスイッチ手段とを備える振動検知装置に関する。
【背景技術】
【０００２】
従来、地震などの振動を検知する振動検知装置として、種々の構成の振動検知装置が提案されている。たとえば、特許文献１に記載の振動検知装置は、制御盤本体に設けられた鋼球収納枠を備える。鋼球受け台が、鋼球収納枠の最上部に配置され、鋼球が静止状態で設置されるように構成される。開口部が、鋼球収納枠の最下部に形成される。リミットスイッチが、開口部の真下に設置される。鋼球が地震などにより鋼球受け台から転がり落ちると、鋼球は鋼球収納枠の内部で落下して開口部に嵌り込む。鋼球は、リミットスイッチのレバー部分に乗ってリミットスイッチをオンさせる。このリミットスイッチのオンにより、制御盤本体の先端部に設けられた化粧縁が開放され、運転員が転倒防止用に握る手すりが露出される。
【０００３】
また、特許文献２に記載の振動検知装置は、球体が載置される載置部と、載置部の周りに配置されたドーナツ状の可動接点と、可動接点の上面が載置部の上面とともに凹面を形成するように可動接点を弾性付勢するバネと、可動接点の下方に設置された固定接点と、可動接点の外側に配置され、可動接点の上面と共通の凹面を形成するテーパ部とを備える。球体が地震などにより可動接点を越えてテーパ部まで転動したときに、テーパ部は球体を載置部まで復帰させる働きをする。球体が地震などにより可動接点まで転動したときに、可動接点は、バネの弾性力に抗して下降し、固定接点と接触する。可動接点と固定接点との接触により、検知信号が制御回路に与えられ、配線遮断器が作動する。
【先行技術文献】
【特許文献】
【０００４】
【特許文献１】特開平５−２２７６２０号公報
【特許文献２】実用新案登録第３０２６５４２号公報
【発明の概要】
【発明が解決しようとする課題】
【０００５】
特許文献１に記載の振動検知装置において、開口部に嵌り込んだ鋼球を受け台に復帰させるためにガイド付き復元レバーがホッパーの正面または側面に設けられる。しかし、復元レバーの具体的な構造については、特許文献１に開示されていない。特許文献１に記載の振動検知装置の復元レバーは、開口部において鋼球を掴んで保持する機能と、鋼球を受け台まで持ち上げる機能と、受け台において鋼球の保持を解除する機能とを少なくとも有する必要がある。このため、復元レバーの具体的な構造は３つの機能を達成するために複雑な構造になると考えられる。
【０００６】
特許文献２に記載の振動検知装置において、地震などの振動が停止したときに、球体が、載置部と可動接点とテーパ部とから形成される凹面に沿って自重により載置部に復帰することから、球体を復帰させる構造が複雑化しない利点がある。しかし、地震などの振動が大きい場合、球体は可動接点を越えてテーパ部まで転動することから、振動の初期段階では、可動接点を固定接点に確実に接触させることができないおそれがある。このため、地震などの振動を早期に検知して配線遮断器を作動させることができない問題がある。
【０００７】
そこで、本発明は、上記の事情に鑑みてなされ、地震などの振動を確実に検知するとともに、初期設定状態への復帰を容易に行うことができる振動検知装置を提供することを目的とする。
【課題を解決するための手段】
【０００８】
（第１の発明態様、およびその具体的態様）
請求項１に記載の第１の発明態様は、基体と、基体に配置されたスイッチ手段と、所定回動軸線を中心に回動可能に基体に配置され、所定回動軸線と直交する方向に延びる所定内部空間を画定する複数の壁面および底面を有し、その底面がスイッチ手段の上方に位置するように配置された箱体と、箱体の所定内部空間において底面を転動することが可能な転動体と、箱体の所定内部空間の一方の端において、転動体の一部が底面から下方に突出してスイッチ手段を作動させるように底面に形成された開口部と、箱体の所定内部空間の他方の端において、転動体が静止した状態で載るように底面に形成された載置部と、載置部が開口部より上方に位置する回動状態に箱体を回動させるために操作可能であり、箱体に連結された操作体と、を備える振動検知装置である。
【０００９】
第１の発明態様では、スイッチ手段は、１個でも、２個でもよい。また、スイッチ手段は、開閉動作を行いための接点部材を含む構成であれば、いかなる構成でもよい。たとえば、スイッチ手段が、固定接点と可動接点とを有する構成でも、固定接点のみを有する構成でもよい。
【００１０】
第１の発明態様では、転動体は、箱体の所定内部空間において底面を転動することが可能な形状であれば、いかなる形状でもよい。たとえば、転動体は、円筒形状でも、球面の一部分を有する形状でもよいが、完全な球面を有する球体であることが好ましい。
【００１１】
第１の発明態様では、箱体の所定回動軸線は、開口部の形成位置と載置部の形成位置との間の中間位置に配置される構成でも、両形成位置のいずれかに近接した位置に配置される構成でも、両形成位置の間の領域より外の領域に配置される構成でもよい。すなわち、転動体が開口部の形成位置と載置部の形成位置との間で転動するように箱体が回動することができるのであれば、所定回動軸線の位置は、両形成位置の間には限定されない。
【００１２】
第１の発明態様では、載置部は、転動体を静止した状態で載せることができるのであれば、いかなる形状でもよい。たとえば、載置部は、箱体の底面上から突出して転動体を受ける受け台として形成されても、箱体の底面から下方に退避して転動体が嵌り込む凹所として形成されてもよい。
【００１３】
第１の発明態様では、操作体は、箱体の回動状態を変化させるために操作可能であれば、基体に操作可能に配置される構成でも、振動検知装置が取り付けられる部材に操作可能に配置される構成でもよい。
【００１４】
請求項２に記載の具体的態様では、所定回動軸線が、開口部の形成位置と載置部の形成位置との間に位置する。
【００１５】
具体的態様では、所定回動軸線の配置位置は、開口部の形成位置と載置部の形成位置との間の中央位置には限定されない。
【００１６】
請求項３に記載の具体的態様では、操作体が、所定回動軸線と直交する方向で、かつ箱体の所定内部空間が延びる方向と交差する方向に移動可能に基体または基体に固定された部材に配置され、開口部または載置部に近接した位置において箱体に連結される。
【００１７】
具体的態様では、操作体の全体が、直線的に移動可能に基体または基体に固定された部材に配置される構成でも、操作体の一部が、所定内部空間が延びる方向と交差する方向に移動するように回動可能に基体または基体に固定された部材に配置される構成でもよい。
【００１８】
請求項４に記載の具体的態様では、スイッチ手段が、箱体の所定内部空間の両端に近接した位置において、基体にそれぞれ配置された第１スイッチ手段および第２スイッチ手段を含み、開口部および載置部が、転動体の一部が底面から下方に突出して第１スイッチ手段および第２スイッチ手段をそれぞれ作動させるように底面に形成された第１貫通孔および第２貫通孔からそれぞれ構成され、操作体が、第１および第２貫通孔のうちで転動体が嵌入した一方の貫通孔が他の貫通孔より上方に位置する回動状態に箱体を回動させるために操作可能である。
【００１９】
具体的態様では、第１貫通孔および第２貫通孔は、転動体が嵌入したときに、所定内部空間の延びる方向において静止した状態になる形状であれば、いかなる形状でもよい。
【００２０】
請求項５に記載の具体的態様では、第１スイッチ手段および第２スイッチ手段が、基体に固定される回路基板に配置され、所定回動軸線が、回路基板における第１スイッチ手段の配置位置と第２スイッチ手段の配置位置との間の中央位置を通り、かつ回路基板に垂直な延長線上に位置する。
【００２１】
請求項６に記載の具体的態様では、第１スイッチ手段および第２スイッチ手段が、回路基板に配置された一対の固定接点からそれぞれ構成され、転動体が、導電性材料により形成された球体から構成され、一対の固定接点と接触可能である。
【００２２】
請求項７に記載の具体的態様は、載置部に載っている転動体と接触可能なように載置部に近接した位置において底面から突出して設けられ、その突出量が調整可能な調整部を備える。
【００２３】
（第２の発明態様、およびその具体的態様）
請求項８に記載の第２の発明態様は、第１の発明態様、または、その具体的態様である振動検知装置と、蓄電手段と、電気的作動手段と、振動検知装置のスイッチ手段を介して、蓄電手段からの電力を電気的作動手段に供給する供給回路と、を備える振動検知機能を有する作動装置である。
【００２４】
第２の発明態様の各構成要素は、第１の発明態様および具体的態様と同様に、種々の形態で実現される。また、第２の発明態様は、電源としての発電手段または商用電源に接続可能な接続手段を備える構成でも、発電手段および接続手段を備えない構成でもよい。蓄電手段は、発電手段により発電された電力、または商用電源から供給された電力を蓄える構成である。電気的作動手段は、地震などの異常発生時に使用される照明手段、発音手段、または表示手段などの作動手段である。
【００２５】
請求項９に記載の具体的態様は、振動検知装置、蓄電手段、電気的作動手段、および供給回路を収容する筐体を備え、振動検知装置の操作体の少なくとも一部が、筐体の外部に突出する。
【００２６】
請求項１０に記載の具体的態様では、振動検知装置の箱体の複数の壁面のうち、少なくとも１つの壁面が、透明な壁面から構成され、筐体が、透明な壁面を通して箱体の内部の転動体の位置を確認するための確認窓を有する。
【００２７】
請求項１１に記載の具体的態様は、発電手段を備え、蓄電手段が、発電手段により発電された電力を蓄電し、電気的作動手段が、並列接続された複数の発光ダイオードから構成される。
【発明の効果】
【００２８】
（第１の発明態様、およびその具体的態様の効果）
請求項１に記載の第１の発明態様では、地震などの振動が発生したとき、転動体が、載置部から転がり落ちて、箱体の底面を転がり、開口部に嵌入する。スイッチ手段は、開口部から下方に突出した転動体の一部により作動される。スイッチ手段の作動により、地震などの振動の発生が確実に検知される。また、転動体を載せる載置部が開口部より上方に位置する回動状態である初期設定状態に箱体を回動させるために、ユーザは操作体を操作する。この操作体の操作により、振動を検知することが可能な初期設定状態に振動検知装置を容易に復帰させることができる。
【００２９】
請求項２に記載の具体的態様では、箱体が、開口部の形成位置と載置部の形成位置との間に位置する所定回動軸線を中心に回動する。この結果、所定回動軸線がいずれかの形成位置に近接して位置する構成に比べ、本具体的態様は、操作体の小さな操作量により箱体を初期設定状態である回動状態に回動させることができる。
【００３０】
請求項３に記載の具体的態様では、操作体が、所定回動軸線と直交する方向で、かつ箱体の所定内部空間が延びる方向と交差する方向に移動可能に基体または基体に固定された部材に配置され、開口部または載置部に近接した位置において箱体に連結される。この結果、操作体と箱体との連結構成を簡易な構成にすることができるとともに、所定内部空間が延びる方向と交差する方向における操作体の小さな操作量により箱体を初期設定状態である回動状態に回動させることができる。
【００３１】
請求項４に記載の具体的態様では、第１貫通孔および第２貫通孔のうちで転動体が嵌入した一方の貫通孔が他の貫通孔より上方に位置する回動状態である初期設定状態に箱体を回動させるために、ユーザは操作体を操作する。この結果、現在の初期設定状態において第１貫通孔に嵌入している転動体が、振動により転げ落ちて第２貫通孔に嵌入した場合、ユーザは、転動体が嵌入している第２貫通孔が第１貫通孔より上方に位置する回動状態である次の初期設定状態となるように、操作体を操作して箱体を回動させればよいことから、初期設定状態への復帰が操作体の簡単な操作で行うことができる。
【００３２】
請求項５に記載の具体的態様では、第１スイッチ手段および第２スイッチ手段が、基体に固定される回路基板に配置され、所定回動軸線が、回路基板における第１スイッチ手段の配置位置と第２スイッチ手段の配置位置との間の中央位置を通り、かつ回路基板に垂直な延長線上に位置する。この結果、操作体の極めて小さな操作量により箱体を初期設定状態である回動状態に容易に回動させることができる。
【００３３】
請求項６に記載の具体的態様では、第１スイッチ手段および第２スイッチ手段が、回路基板に配置された一対の固定接点からそれぞれ構成され、転動体が、導電性材料により形成された球体から構成され、一対の固定接点と接触可能である。この結果、転動体が可動接点の働きも有することから、可動接点と一対の固定接点とからなるスイッチ手段を回路基板上に配置する構成に比べ、回路基板を薄くて小型にすることができる。
【００３４】
請求項７に記載の具体的態様では、調整部が、載置部に載っている転動体と接触可能なように載置部に近接した位置において底面から突出する。調整部の突出量は、地震などの振動の大きさに応じて調整可能である。この結果、ユーザは、転動体が載置部から転がり落ちるときの振動の大きさに合わせて、調整部の突出量を調整することができる。
【００３５】
（第２の発明態様、およびその具体的態様の効果）
請求項８に記載の第２の発明態様では、振動検知装置のスイッチ手段が、地震などの振動に伴って転動した転動体により作動したときに、電気的作動手段は、そのスイッチ手段を介して蓄電手段からの電力の供給を受ける。この結果、地震などの振動が発生したときに、電気的作動手段を確実に作動させることができる。また、次の振動の発生に備えて、ユーザは、操作体を操作することにより、振動検知装置の箱体を初期設定状態に容易に復帰させることができる。
【００３６】
請求項９に記載の具体的態様では、振動検知装置、蓄電手段、電気的作動手段、および供給回路が筐体に収容される。振動検知装置の操作体の少なくとも一部が、筐体の外部に突出する。この結果、ユーザは、筐体の外部から操作体を操作することができ、振動検知装置の箱体を初期設定状態に容易に復帰させることができる。
【００３７】
請求項１０に記載の具体的態様では、振動検知装置の箱体の複数の壁面のうち、少なくとも１つの壁面が、透明な壁面から構成され、筐体が、透明な壁面を通して箱体の内部の転動体の位置を確認するための確認窓を有する。この結果、ユーザは、初期設定状態において転動体が載置部に載っているのか否かを、確認窓および透明な壁面を通して容易に確認することができる。
【００３８】
請求項１１に記載の具体的態様では、蓄電手段が、発電手段により発電された電力を蓄電する。並列接続された複数の発光ダイオードは、スイッチ手段を介して蓄電手段から電力の供給を受けて発光する。この結果、商用電源から電力供給を受けない作動装置であっても、地震などの振動が発生したときに、複数の発光ダイオードは、発電手段により発電された電力の供給を確実に受けて、発光することができる。
【図面の簡単な説明】
【００３９】
【図１】本発明の第１の実施形態に係るスライド扉用照明装置１と、そのスライド扉用照明装置１が取り付けられたスライド扉開閉装置２とを示す正面図である。
【図２】図１に示すＡ−Ａ線に従ってスライド扉開閉装置２の扉支持機構４を切断した断面図である。
【図３】スライド扉用照明装置１の照明作動装置２１の分解斜視図である。
【図４】スライド扉用照明装置１の地震検知装置２２の分解斜視図である。
【図５】地震検知装置２２の上カバー板６３を取り外した状態で、箱体５３を右上方から見た拡大斜視図である。
【図６】上カバー板６３を取り外した状態で、箱体５３を上方から見た平面図である。
【図７】上カバー板６３を取り外した状態で、箱体５３を後方から見た背面図である。
【図８】地震検知装置２２を右上方から見た斜視図である。
【図９】図８に示すＢ−Ｂ線に従う水平面で地震検知装置２２を切断した断面図である。
【図１０】図８に示すＣ−Ｃ線に従う前後方向の垂直面で地震検知装置２２を切断した断面図である。
【図１１】地震検知装置２２の電気的構成を示す回路図である。
【図１２】箱体５３の第１の初期設定状態と、地震発生時に球体７７が転動した状態とを説明するための図面である。
【図１３】箱体５３の第２の初期設定状態と、地震発生時に球体７７が転動した状態とを説明するための図面である。
【図１４】本発明の第２の実施形態における箱体１０１の初期設定状態と、地震発生時に球体７７が転動した状態と、初期設定状態に復帰させるための箱体１０１の回動状態とを説明するための図面である。
【発明を実施するための形態】
【００４０】
＜第１の実施形態＞
［スライド扉用照明装置１およびスライド扉開閉装置２の全体構成］
以下に、本発明の振動検知装置をスライド扉用照明装置に適用した第１の実施形態について、図面を参照して説明する。本実施形態は、商店などの出入口に設置されたスライド扉の開閉動作に伴い発電された電力を使用して、スライド扉の周辺を照明するスライド扉用照明装置１である。図１は、スライド扉用照明装置１と、そのスライド扉用照明装置１が取り付けられたスライド扉開閉装置２とを示す正面図である。図１に矢印で示す２つの方向を、上下方向、および左右方向とし、両方向にそれぞれ直交する方向を、前後方向として、各図面での各方向を示す。
【００４１】
［スライド扉開閉装置２の全体構成］
図１において、スライド扉開閉装置２は、一対のスライド扉３Ａ、３Ｂと、扉支持機構４とを備える。
【００４２】
扉支持機構４は、一対のスライド扉３Ａ、３Ｂを左右方向に開閉可能に支持する。両スライド扉３Ａ、３Ｂは人間の接近を感知して電動モータを駆動することにより開放される構成の扉であり、いわゆる自動扉である。自動扉において、電動モータからスライド扉に動力を伝達する構成は、特開平１１−３６６９５号公報などにより公知であるので、その詳細な説明を省略する。
【００４３】
図１において、扉支持機構４は、商店の出入口の床などの固定された基礎部分５に設置される。一対の支持パネル６Ａ、６Ｂが、客の通過を許容する間隔をあけて、基礎部分５にそれぞれ固定されるとともに、商店の外壁にそれぞれ固定される。図１には、支持パネル６Ａが固定される外壁７のみが示される。支持梁８が、両支持パネル６Ａ、６Ｂの上部に架設される。
【００４４】
扉支持機構４の詳細な構成について、図２を参照して説明する。図２は、図１に示すＡ−Ａ線に従って扉支持機構４を切断した断面図である。図２において、上方案内梁９が、支持梁８の後側に固定される。上方案内梁９は、中空に形成され、内部に上方案内レール９Ａを有する。下方案内レール１０が、基礎部分５に埋設される。連結アーム１１Ａが、スライド扉３Ａの上部に固定される。プーリ１１Ｂが、連結アーム１１Ａに回転自在に設けられ、上方案内レール９Ａに係合する。下方案内レール１０は、矩形断面形状の凹所を備え、スライド扉３Ａの下端部と嵌合する。スライド扉３Ａは、両案内レール９Ａ、１０により左右方向に案内されるとともに、開閉可能に支持される。スライド扉３Ｂも、スライド扉３Ａと同様な構成により支持される。
【００４５】
［スライド扉用照明装置１の全体構成］
スライド扉用照明装置１は、スライド扉用発電装置２０と、照明作動装置２１と、地震検知装置２２とを備える。スライド扉用発電装置２０は、図２に示すように、スライド扉３Ａの内側に近接して基礎部分５に設置される。
【００４６】
スライド扉用発電装置２０は、筐体２３と、その筐体２３内に収容された２つの発電ユニットと、交流電圧を直流電圧に整流するための整流基板とを主に備える。各発電ユニットは、発電機と、その発電機の回転軸に連結された回転体とを備える。回転体は、コイルバネの弾性力により、スライド扉３Ａに押圧される。
【００４７】
［照明作動装置２１の詳細な構成］
照明作動装置２１は、図１に示すように、支持梁８に固定して配置される。図３を参照して、照明作動装置２１の詳細な構成を説明する。図３は、照明作動装置２１の分解斜視図である。照明作動装置２１は、本体取付板３０と、本体カバー３１と、ＬＥＤ基板３２と、リフレクタ３３と、ＬＥＤカバー３４と、制御基板３５とを主に備える。
【００４８】
本体取付板３０は、左右方向に長い板状に形成され、支持梁８に取り付けられる。台座３６が、本体取付板３０の上面の中央位置において左右方向に延びて形成される。台座３６は、ＬＥＤ基板３２を本体取付板３０に対して所定角度だけ傾けて取り付けるために傾斜面を有する。６個の発光ダイオードＤ１〜Ｄ６が、ＬＥＤ基板３２に搭載される。ＬＥＤ基板３２は、ネジなどの固定手段により台座３６に取り付けられる。リフレクタ３３は、ＬＥＤ基板３２上の発光ダイオードＤ１〜Ｄ６にそれぞれ対向する６個の開口Ｗ１〜Ｗ６を有する。リフレクタ３３は、各発光ダイオードから各開口を通して出射された光を反射させて拡散させる。ＬＥＤカバー３４は、リフレクタ３３全体を前方から覆うために曲面形状の前面を有し、光透過材料から形成される。
【００４９】
制御基板３５は、各種の回路素子が搭載された基板であり、本体取付板３０の左側の領域に取り付けられる。各種の回路素子は、発電機により発電された電力を整流して蓄電するための回路素子と、発光ダイオードＤ１〜Ｄ６の点滅を制御する回路素子とを含む。制御基板３５の詳細な構成については後述する。
【００５０】
地震検知装置２２は、本体取付板３０の右側の領域にネジなどの固定手段により取り付けられる。位置決め突起３７が、本体取付板３０の上面に鉤状に形成される。地震検知装置２２の一部が位置決め突起３７に当接することにより、地震検知装置２２は、本体取付板３０の上面において位置決めされる。
【００５１】
本体カバー３１は、本体取付板３０全体を前方から覆うために左右方向に長い形状に形成され、曲面形状の前面を有する。収納凹部３８が、本体カバー３１の中央領域に形成される。ＬＥＤカバー３４は、収納凹部３８に嵌め込まれて本体取付板３０に取り付けられる。本体カバー３１は、ネジなどの固定手段により本体カバー３１取り付けられる。本体カバー３１は、白色のＡＢＳ樹脂により成形される。
【００５２】
本体カバー３１は、その前面の右側の領域に２つの開口３９、４０を有する。２つの透明板体４１、４２が、開口３９、４０にそれぞれ嵌め込まれる。また、本体カバー３１は、その右側壁４３に開口４４を有する。
【００５３】
［地震検知装置２２の詳細な構成］
図４〜図１０を参照して、地震検知装置２２の構成を説明する。図４は、地震検知装置２２の分解斜視図である。図４において、地震検知装置２２は、前ケース５０と、後ケース５１と、スイッチ基板５２と、箱体５３と、操作体５４とを主に備え、これらの構成部材が組み付けられてユニット化される。
【００５４】
前ケース５０および後ケース５１は、左右方向に長い形状を有し、透明なＡＢＳ樹脂により成形される。後ケース５１は、本体取付板３０にネジなどの固定手段により取り付けられる。前ケース５０は、後ケース５１と組み合わされ、ネジなどの固定手段により後ケース５１に取り付けられる。後ケース５１を本体取付板３０に取り付ける際に、後ケース５１の左上角部が位置決め突起３７に当接することにより、後ケース５１が本体取付板３０の上面において位置決めされる。後ケース５１は、スイッチ基板５２を左右方向に位置決めするための位置決め突起５５Ａ、５５Ｂと、スイッチ基板５２を上下方向に位置決めするための位置決め突起５６Ａ、５６Ｂとを有する。また、後ケース５１は、左右方向に延びる下方壁５７を有する。スイッチ基板５２の後端縁は、左右方向において位置決め突起５５Ａ、５５Ｂと係合し、上下方向において位置決め突起５６Ａ、５６Ｂおよび下方壁５７と係合する。これらの係合により、スイッチ基板５２の後端縁は、後ケース５１に位置決めされる。図４には示されないが、前ケース５０も、後ケース５１と同様に、位置決め突起および下方壁を有し、スイッチ基板５２の前端縁も、前ケース５０に位置決めされる。
【００５５】
スイッチ基板５２は、左右方向に長い形状に形成される。第１の対の固定接点５８Ａ、５８Ｂが、スイッチ基板５２の上面の左端近傍に配置され、第２の対の固定接点５９Ａ、５９Ｂが、スイッチ基板５２の上面の右端近傍に配置される。コネクタ６０が、スイッチ基板５２の下面に配置され、４つの固定接点５８Ａ、５８Ｂ、５９Ａ、５９Ｂに接続される。いずれの対の固定接点の先端部も、互いに向き合う内側に折り曲げられる。後述する球体７７が両固定接点の先端部に接触したときに、両固定接点は、球体７７を静止した状態で載せることができ、確実に球体７７の表面に接触することができる。
【００５６】
箱体５３は、左右方向に長い形状を有し、透明なＡＢＳ樹脂により成形される。箱体５３は、その上方に開口６１を有する。箱体５３は、後ケース５１の内面から前方に突出した回動軸部６２に回動可能に取り付けられる。箱体５３は、スイッチ基板５２の上方において、スイッチ基板５２に対して傾いた回動状態に回動するように配置される。上カバー板６３は、箱体５３に着脱可能に取り付けられ、開口６１を覆う。上カバー板６３を箱体５３に取り付けることにより、箱体５３の内部に密閉された内部空間が形成される。箱体５３の詳細な構成については後述する。
【００５７】
操作体５４は、摘み部６４と、その摘み部６４から左方に延びる腕部６５とを主に有する。一対の案内突起６６Ａ、６６Ｂが、摘み部６４に近接した位置において、腕部６５の後面に上下方向に延びて形成される。後ケース５１は、上下方向に延びる右端部６７を有する。両案内突起６６Ａ、６６Ｂは、後ケース５１の右端部６７を挟んだ状態で右端部６７と嵌合する。この嵌合により、操作体５４は、後ケース５１の右端部６７に沿って上下方向に移動可能に案内される。上ストッパ部６８Ａおよび下ストッパ部６８Ｂが、後ケース５１の右端部６７の上方位置および下方位置から前方に突出してそれぞれ形成される。腕部６５の上端縁または下端縁が上ストッパ部６８Ａまたは下ストッパ部６８Ｂに当接することにより、上下方向における操作体５４の停止位置が定められる。腕部６５の先端部分は、左下方に向かって僅かに傾斜して形成される。連結突部６９は、円形形状を有し、腕部６４の先端部分から前方に突出して形成される。連結突部６９は、箱体５３の後面において箱体５３と連結される。操作体５４と箱体５３との連結により、操作体５４の上下方向の操作に従って、箱体５３の回動状態が設定される。
【００５８】
（箱体５３の詳細な構成）
図５〜図７を参照して、箱体５３の構成について説明する。図５は、上カバー板６３を取り外した状態で、箱体５３を右上方から見た斜視図である。図６は、上カバー板６３を取り外した状態で、箱体を上方から見た平面図であり、図７は、上カバー板６３を取り外した状態で、箱体５３を後方から見た背面図である。図５において、箱体５３は、前壁７０と、後壁７１と、湾曲した左壁７２と、湾曲した右壁７３と、底板７４とから構成される。左貫通孔７５および右貫通孔７６が、左壁７２および右壁７３に近接した位置において、底板７４にそれぞれ形成される。両貫通孔７５、７６は、円形形状を有する。
【００５９】
球体７７が、箱体５３の内部空間に配置され、底板７４の上面を左右方向に転動することができる。球体７７は、両貫通孔７５、７６の直径より大きな直径を有し、その表面全体が導電性材料によりメッキ処理されて構成される。球体７７は、両貫通孔７５、７６のいずれかに嵌入することができる。球体７７がいずれかの貫通孔に嵌入したときに、球体７７の下方部分が、底板７４の下面から下方に突出する。たとえば、球体７７が貫通孔７５に嵌入したときに、球体７７の下方部分は、底板７４の下面から突出して第１の対の固定接点５８Ａ、５８Ｂに接触する。同様に、球体７７が貫通孔７６に嵌入したときに、球体７７の下方部分は、底板７４の下面から突出して第２の対の固定接点５９Ａ、５９Ｂに接触する。
【００６０】
左調整突部７８が、左貫通孔７５の最も右側の端縁に近接した位置において、底板７４から上方に突出して配置され、右調整突部７９が、右貫通孔７５の最も左側の端縁に近接した位置において、底板７４から上方に突出して配置される。両調整突部７８、７９の突出量は、両調整突部を底板７４にねじ込む量に応じて調整される。たとえば、球体７７が貫通孔７５に嵌入した状態において、左調整突部７８の先端部が球体７７の表面と僅かな間隔を置いて位置するように、左調整突部７８が配置される。その僅かな間隔は、左調整突部７８の突出量を調整することにより調整される。右調整突部７９も、左調整突部７８と同様に、貫通孔７６に嵌入した球体７７の表面と僅かな間隔を置いて位置する。
【００６１】
図６および図７において、軸受け部８０が、左右方向において箱体５３の中央位置であって、後壁７１から後方に突出して形成される。軸受け部８０は、後ケース５１の回動軸部６２が嵌合可能な軸受け孔８１を有する。回動軸部６２と軸受け孔８１との嵌合により、箱体５３は回動軸部６２の周りに回動可能となる。連結環状部８２が、右貫通孔７６に近接した位置において、箱体５３の後壁７１から後方に突出して形成される。連結環状部８２は、操作体５４の連結突部６９が嵌入可能な円形の連結孔８３を有する。連結孔８３の内周の直径は、連結突部６９外周の直径よりも大きく設定される。連結突部６９が連結孔８３に嵌入することにより、箱体５３は操作体５４と連動可能に連結される。
【００６２】
（操作体５４を支持する構成）
図８〜図１０を参照して、前ケース５０および後ケース５１により操作体５４を移動可能に支持する構成について説明する。図８は、地震検知装置２２を右上方から見た斜視図である。図９は、図８に示すＢ−Ｂ線に従う水平面で地震検知装置２２を切断した断面図であり、図１０は、図８に示すＣ−Ｃ線に従う前後方向の垂直面で地震検知装置２２を切断した断面図である。
【００６３】
図８および図９において、前ケース５０は、後方に延びる右壁８４を有する。前ケース５０の右壁８４の後端部は、後ケース５１の右端部６７と上下方向において対向して配置される。その右壁８４の後端部と右端部６７とは、間隔を置いて配置され、操作体５４の腕部６５の移動空間を画定する。上係止腕８５Ａおよび下係止腕８５Ｂが、右壁８４の後端部に、前後方向に弾性変形可能に形成される。上係止腕８５Ａは、後ケース５１の上ストッパ部６８Ａより下方の位置まで上方に延び、下係止腕８５Ｂは、後ケース５１の下ストッパ部６８Ｂより上方の位置まで下方に延びる。上係止突起８６Ａが上係止腕８５Ａの先端部の近傍において後方に突出して形成され、下係止突起８６Ｂが下係止腕８５Ｂの先端部の近傍において後方に突出して形成される。
【００６４】
図４および図１０に示すように、上係止孔８７Ａおよび下係止孔８７Ｂが、摘み部６４に近接する位置において、腕部６５の前面に形成される。上係止突起８６Ａおよび下係止突起８６Ｂは、上係止孔８７Ａおよび下係止孔８７Ｂにそれぞれ係合可能である。図１０は、下係止突起８６Ｂが下係止孔８７Ｂに係合した状態を示す。上係止突起８６Ａが上係止孔８７Ａに係合したときに、操作体５４は弾性力により所定の上方位置に保持され、下係止突起８６Ｂが下係止孔８７Ｂに係合したときに、操作体５４は弾性力により所定の下方位置に保持される。
【００６５】
地震検知装置２２が本体取付板３０に取り付けられ、本体カバー３１が本体取付板３０に取り付けられた状態において、操作体５４の腕部６５は、図９に示すように、本体カバー３１の右側壁４３の開口４４を通して右方に延び、操作体５４の摘み部６４は、本体カバー３１から外部に突出する。この結果、ユーザは、本体カバー３１の外部から、操作体５４を操作することができる。
【００６６】
また、地震検知装置２２が本体取付板３０に取り付けられ、本体カバー３１が本体取付板３０に取り付けられた状態において、本体カバー３１の透明板体４１は、箱体５３の左貫通孔７５の近傍に位置する前壁７０および左壁７２の領域に対向して配置され、本体カバー３１の透明板体４２は、箱体５３の右貫通孔７６の近傍に位置する前壁７０および右壁７３の領域に対向して配置される。この結果、ユーザは、透明板体４１、４２および透明な箱体５３を通して、球体７７の位置を本体カバー３１の外部から確認することができる。
【００６７】
［スライド扉用照明装置１の電気的構成］
図１１を参照して、スライド扉用照明装置１の電気的構成について説明する。図１１は、地震検知装置２２の電気的構成を示す回路図である。地震検知装置２２の電気的構成は、ＬＥＤ基板３２と、制御基板３５と、スイッチ基板５２とから構成される。
【００６８】
制御基板３５は、３つのコネクタ８８、８９、９０を有する。コネクタ８８は、スライド扉用発電装置２０の整流基板の出力端子に接続されたコネクタと接続ラインを介して連結される。コネクタ８９は、スイッチ基板５２に搭載されたコネクタ６０に接続ラインを介して連結される。コネクタ９０は、ＬＥＤ基板３２に搭載されたコネクタ９１に接続ラインを介して連結される。
【００６９】
ツェナーダイオードＺＤが、コネクタ８８の端子ＣＴ１１、ＣＴ１２の間に接続される。端子ＣＴ１２は接地される。ツェナーダイオードＺＤは、端子ＣＴ１１、ＣＴ１２の間に発生する電圧を一定電圧に制限する。逆流防止用ダイオードＲＤのアノードが、コネクタ８８の端子ＣＴ１１に接続され、そのダイオードＲＤのカソードが、コネクタ８９の端子ＣＴ２１に接続される。蓄電用コンデンサＣＡが、コネクタ８９の端子ＣＴ２１とコネクタ８８の端子ＣＴ１２との間に接続される。コンデンサＣＡは、コネクタ８８から供給される直流電圧を蓄電する。ダイオードＲＤは、蓄電用コンデンサＣＡの蓄電電圧がコネクタ８８を介して発電機に向かって逆流して放電するのを防止するためのダイオードである。リセットＩＣ９１は、入力端子ＲＴ１と、接地端子ＲＴ２と、出力端子ＲＴ３とを有する。リセットＩＣ９１は、入力端子ＲＴ１に入力された電圧が所定値以上である場合に、リセット信号を出力端子ＲＴ３から出力し、入力端子ＲＴ１に入力された電圧が所定値に達しない場合に、リセット信号を出力端子ＲＴ３から出力しないもので、公知の回路素子である。入力端子ＲＴ１は、コネクタ８９の端子ＣＴ２２と、コネクタ９０の端子ＣＴ３１とにそれぞれ接続される。接地端子ＲＴ２は接地される。
【００７０】
電界効果トランジスタＥＴＲのゲートが、リセットＩＣ９１の出力端子ＲＴ３に接続される。トランジスタＥＴＲのドレインがコネクタ９０の端子ＣＴ３２に接続され、トランジスタＥＴＲのソースが接地される。リセット信号が出力端子ＲＴ３からトランジスタＥＴＲのゲートに供給されないときに、トランジスタＥＴＲはオフ状態になり、ドレインからソースへの電流が遮断される。リセット信号が出力端子ＲＴ３からトランジスタＥＴＲのゲートに供給されるときに、トランジスタＥＴＲはオン状態になり、ドレインからソースへ電流が流れる。
【００７１】
スイッチ基板５２において、固定端子５８Ａおよび固定端子５９Ａが、コネクタ６０の端子ＳＴ１に共通に接続される。固定端子５８Ｂおよび固定端子５９Ｂが、コネクタ６０の端子ＳＴ２に共通に接続される。コネクタ６０の端子ＳＴ１、ＳＴ２は、コネクタ８９の端子ＣＴ２１、ＣＴ２２にそれぞれ接続される。
【００７２】
ＬＥＤ基板３２において、発光ダイオードＤ１は電流制限用抵抗Ｒ１と直接に接続されて直列回路を構成する。同様に、発光ダイオードＤ２〜Ｄ６も電流制限用抵抗Ｒ２〜Ｒ６とそれぞれ直列に接続されて直列回路を構成する。各直列回路は、コネクタ９１の端子ＬＴ１、ＬＴ２の間に接続される。コネクタ９１の端子ＬＴ１、ＬＴ２は、コネクタ９０の端子ＣＴ３１、ＣＴ３２にそれぞれ接続される。
【００７３】
［第１の実施形態の動作および作用］
スライド扉用照明装置１の動作および作用について説明する。地震が発生していない正常な状態において、スライド扉開閉装置２は商用電源から電力を供給されて動作する。人間の接近が感知されたとき、スライド扉開閉装置２は電動モータを駆動して両スライド扉３Ａ、３Ｂを開閉させる。スライド扉３Ａの開閉動作により、スライド扉用発電装置２０の発電機は交流電圧を発電する。この交流電圧は、スライド扉用発電装置２０内の整流基板によって直流電圧に整流され、コネクタ８８の端子ＣＴ１１、ＣＴ１２の間に供給される。供給された直流電圧は、コンデンサＣＡにより蓄電される。
【００７４】
（第１の初期設定状態および第２の初期設定状態）
正常な状態において、箱体５３の回動状態は、第１の対の固定接点５８Ａ、５８Ｂと、第２の対の固定接点５９Ａ、５９Ｂとのうち、いずれの対の固定接点も球体７７と接触しない初期設定状態にある。図１２および図１３を参照して、初期設定状態について説明する。図１２および図１３は、地震検知装置２２の箱体５３の回動状態の変化を模式化して示す。第１の実施形態では、球体７７が嵌入した貫通孔が他の貫通孔より上方に位置し、かつ、いずれの対の固定接点も球体７７と接触しない初期設定状態として、図１２の（Ａ）に示す第１の初期設定状態と、図１３の（Ａ）に示す第２の初期設定状態とが存在する。
【００７５】
第１の初期設定状態において、操作体５４の上係止孔８７Ａが前ケース５０の上係止突起８６Ａに係合し、操作体５４は所定の上方停止位置に保持され、球体７７は右貫通孔７６に嵌入している。この第１の初期設定状態においては、球体７７が嵌入した右貫通孔７６が、左貫通孔７５より上方に位置し、球体７７を静止状態で載せる載置部として機能する。第１の初期設定状態において、第１の対の固定接点５８Ａ、５８Ｂと、第２の対の固定接点５９Ａ、５９Ｂとのうち、いずれの対の固定接点も球体７７と接触していない。また、第２の初期設定状態において、操作体５４の下係止孔８７Ｂが前ケース５０の下係止突起８６Ｂに係合し、操作体５４は所定の下方停止位置に保持され、球体７７は左貫通孔７５に嵌入している。この第２の初期設定状態において、球体７７が嵌入した左貫通孔７５が、右貫通孔７６より上方に位置し、球体７７を静止状態で載せる載置部として機能する。第２の初期設定状態において、第１の対の固定接点５８Ａ、５８Ｂと、第２の対の固定接点５９Ａ、５９Ｂとのうち、いずれの対の固定接点も球体７７と接触していない。
【００７６】
正常な状態において、箱体５３の回動状態が第１の初期設定状態または第２の初期設定状態にある場合、第１の対の固定接点５８Ａ、５８Ｂと、第２の対の固定接点５９Ａ、５９Ｂとは、図１１に示すように開放状態にある。この開放状態においては、コンデンサＣＡにより蓄電された電圧はリセットＩＣ９１および発光ダイオードＤ１〜Ｄ６に供給されない。
【００７７】
（第１の初期設定状態における地震発生時の動作および作用）
箱体５３の回動状態が、球体７７が嵌入した右貫通孔７６が左貫通孔７５より上方に位置する初期設定状態、すなわち図１２の（Ａ）に示す第１の初期設定状態にある場合に、所定の振動以上の強い地震が発生したとき、球体７７は、右調整突部７９を乗り越えて右貫通孔７６から転がり出る。球体７７は、箱体５３の底板７４の上面を転がり、左調節突部７８を乗り越えて左貫通孔７５に嵌入する。球体７７が左貫通孔７５に嵌入したとき、球体７７は、図１２の（Ｂ）に示すように、第１の対の固定接点５８Ａ、５８Ｂにそれぞれ接触する。これにより、両固定接点５８Ａ、５８Ｂは、電気的に接続された閉成状態に変化する。一方、第２の対の固定接点５９Ａ、５９Ｂは開放状態のままである。
【００７８】
第１の対の固定接点５８Ａ、５８Ｂが閉成状態に変化したことにより、コンデンサＣＡにより蓄電された電圧は、コネクタ８９、６０、および両固定接点５８Ａ、５８Ｂを介してリセットＩＣ９１の入力端子ＲＴ１に供給される。リセットＩＣ９１は、入力端子ＲＴ１に供給された電圧が所定値以上であるのか否かを判断する。入力端子ＲＴ１に供給された電圧が所定値に達しないと判断したとき、リセットＩＣ９１は、出力端子ＲＴ３からリセット信号をトランジスタＥＴＲのゲートに供給せず、トランジスタＥＴＲをオフ状態に維持する。入力端子ＲＴ１に供給された電圧が所定値以上であると判断したとき、リセットＩＣ９１は、出力端子ＲＴ３からリセット信号をトランジスタＥＴＲのゲートに供給し、トランジスタＥＴＲをオン状態に切り換える。
【００７９】
トランジスタＥＴＲがオン状態に切り換ったことにより、コンデンサＣＡにより蓄電された電圧は、コネクタ９０、９１を介して発光ダイオードＤ１〜Ｄ６に供給される。これにより、発光ダイオードＤ１〜Ｄ６が発光し、スライド扉３Ａ、３Ｂの周辺領域を照射する。この結果、ユーザは、地震発生時に停電になった場合でも、スライド扉３Ａ、３Ｂの場所を容易に見つけることができ、スライド扉を手動で開閉することができる。
【００８０】
（第２の初期設定状態への復帰の動作および作用）
地震がおさまって商用電源が復旧した場合、箱体５３の回動状態は、図１２の（Ｂ）に示す状態にある。この状態においては、発光ダイオードＤ１〜Ｄ６は発光を継続している。このため、発光ダイオードＤ１〜Ｄ６の発光を停止して、次に発生する可能性のある地震に備える必要がある。ユーザは、図１２の（Ｂ）に示す所定の上方停止位置から操作体５４を下方に操作し、操作体５４の下係止孔８７Ｂを前ケース５０の下係止突起８６Ｂに係合させ、操作体５４を所定の下方停止位置に保持する。ユーザが操作体５４を下方に移動させることにより、箱体５３の回動状態は、図１２の（Ｂ）に示す状態から、図１３の（Ａ）に示す状態に変化する。しかし、箱体５３の回動状態が変化している間、球体７７は、左貫通孔７５に嵌入した状態を維持する。
【００８１】
操作体５４が所定の下方停止位置に保持されたときに、箱体５３の回動状態は、球体７７が嵌入した左貫通孔７５が右貫通孔７６より上方に位置する初期設定状態、すなわち図１３の（Ａ）に示す第２の初期設定状態になる。これにより、地震検知装置２２は第２の初期設定状態に復帰し、次に発生する可能性のある地震を検知することができる。第２の初期設定状態においても、第１の初期設定状態と同様に、第１の対の固定接点５８Ａ、５８Ｂと、第２の対の固定接点５９Ａ、５９Ｂとのうち、いずれの対の固定接点も球体７７と接触していない開放状態にある。この開放状態においては、コンデンサＣＡにより蓄電された電圧はリセットＩＣ９１および発光ダイオードＤ１〜Ｄ６に供給されない。
【００８２】
（第２の初期設定状態における地震発生時の動作および作用）
箱体５３の回動状態が、図１３の（Ａ）に示す第２の初期設定状態にある場合に、所定の振動以上の強い地震が発生したとき、球体７７は、左調整突部７８を乗り越えて左貫通孔７５から転がり出る。球体７７は、箱体５３の底板７４の上面を転がり、右調節突部７９を乗り越えて右貫通孔７６に嵌入する。球体７７が右貫通孔７６に嵌入したとき、球体７７は、図１３の（Ｂ）に示すように、第２の対の固定接点５９Ａ、５９Ｂにそれぞれ接触する。これにより、両固定接点５９Ａ、５９Ｂは、電気的に接続された閉成状態に変化する。一方、第１の対の固定接点５８Ａ、５８Ｂは開放状態のままである。
【００８３】
第２の対の固定接点５９Ａ、５９Ｂが閉成状態に変化したことにより、コンデンサＣＡにより蓄電された電圧は、コネクタ８９、６０、および両固定接点５９Ａ、５９Ｂを介してリセットＩＣ９１の入力端子ＲＴ１に供給される。リセットＩＣ９１は、入力端子ＲＴ１に供給された電圧が所定値以上であるのか否かを判断する。入力端子ＲＴ１に供給された電圧が所定値に達しないと判断したとき、リセットＩＣ９１は、出力端子ＲＴ３からリセット信号をトランジスタＥＴＲのゲートに供給せず、トランジスタＥＴＲをオフ状態に維持する。入力端子ＲＴ１に供給された電圧が所定値以上であると判断したとき、リセットＩＣ９１は、出力端子ＲＴ３からリセット信号をトランジスタＥＴＲのゲートに供給し、トランジスタＥＴＲをオン状態に切り換える。
【００８４】
トランジスタＥＴＲがオン状態に切り換ったことにより、コンデンサＣＡにより蓄電された電圧は、コネクタ９０、９１を介して発光ダイオードＤ１〜Ｄ６に供給される。これにより、発光ダイオードＤ１〜Ｄ６が発光し、スライド扉３Ａ、３Ｂの周辺領域を照射する。
【００８５】
［第１の実施形態の効果］
第１の実施形態では、箱体５３の初期設定状態として、図１２の（Ａ）に示す第１の初期設定状態と、図１３の（Ａ）に示す第２の初期設定状態とが存在する。この結果、ユーザが、操作体５４を所定の上方停止位置または所定の下方停止位置に操作するのみで、地震がおさまった後に初期設定状態に復帰させることを容易に行うことができる。
【００８６】
第１の実施形態では、箱体５３が延びる左右方向において、回動軸部６２が箱体５３の中央位置に位置する。この結果、箱体５３を初期設定位置に復帰させるための操作体５４の操作移動量を小さくすることができ、延いては地震検知装置２２全体を小型化することができる。
【００８７】
第１の実施形態では、左調整突部７８および右調整突部７９が箱体５３の底板７４の上面から突出して配置され、その突出量が調整可能である。この結果、ユーザは、両調整突部７８、７９の突出量を調整することにより、地震検知装置２２が検知可能な地震の振動の強さを任意に設定することができる。
【００８８】
第１の実施形態では、操作体５４の摘み部６４が、本体カバー３１の開口４４から外部に突出する。この結果、ユーザは、スライド扉用照明装置１を分解するなどの煩雑な作業を行うことなく、箱体５３の回動状態を初期設定状態に復帰させることを容易に行うことができる。
【００８９】
第１の実施形態では、透明板体４１、４２が本体カバー３１に配置され、地震検知装置２２の前ケース５０および箱体５３が透明な材料から成形される。この結果、ユーザは、スライド扉用照明装置１を分解するなどの煩雑な作業を行うことなく、透明板体４１、４２を通して箱体５３内部の球体７７の位置を容易に確認することができる。
【００９０】
第１の実施形態では、後ケース５１の左上角部を本体取付板３０の位置決め突起３７に当接させることにより、本体取付板３０に対して地震検知装置２２を左右方向および上下方向に位置決めする。この結果、スライド扉用照明装置１の本体取付板３０が、スライド扉開閉装置２の支持梁８に対して水平な状態で取り付けられれば、地震検知装置２２の箱体５３の初期設定状態を、水平な方向に対して所定の回動角度に設定することができ、地震の振動を正確に検知することができる。
【００９１】
第１の実施形態では、スライド扉３Ａ、３Ｂの開閉領域の全域を照射するためにスライド扉用照明装置１が左右方向に長い形状を有する。地震検知装置２２も、スライド扉用照明装置１に内蔵されることから、左右方向に長い形状を有する。この結果、箱体５３が左右方向に延びる長い内部空間を有し、球体７７が内部空間を転がる構成は、上下方向において球体が落下などの移動を行う構成に比べ、左右方向に長い装置に内蔵するのに最適な構成である。
【００９２】
＜第２の実施形態＞
以下に、本発明の振動検知装置をスライド扉用照明装置に適用した第２の実施形態について、図面を参照して説明する。第２の実施形態は、地震検知装置の箱体を回動可能に支持する構成と、スイッチ基板の固定接点の数とについて、第１の実施形態と相違するので、この相違する構成について説明する。なお、第２の実施形態において、第１の実施形態と同じ構成を有する部分には同一の番号を付して説明する。
【００９３】
［地震検知装置１００の構成］
図１４を参照して、第２の実施形態における地震検知装置１００の構成を説明する。図１４は、地震検知装置１００の箱体１０１の回動状態の変化を模式化して示す。箱体１０１の左端部は、後ケース５１から前方に突出して形成された回動軸部１０２の周りに回動可能に支持される。箱体１０１は、底板７４に形成された左貫通孔７５および右貫通孔７６を有する。球体７７は、箱体１０１の底板７４の上面を転がることができる。操作体５４が、回動軸部１０２の配置位置と反対側の端部、すなわち箱体１０１の右端部に連結される。
【００９４】
スイッチ基板１０３が、左貫通孔７５の下方に位置するように前ケース５０および後ケース５１に取り付けられる。一対の固定接点１０４Ａ、１０４Ｂがスイッチ基板１０３の上面に配置される。球体７７が左貫通孔７５に嵌入したとき、球体７７は両固定接点１０４A、１０４Ｂにそれぞれ接触する。これにより、両固定接点１０４Ａ、１０４Ｂは、電気的に接続された閉成状態に変化する。第１の実施形態において、図１１に示すように、第１の対の固定接点５８Ａ、５８Ｂと、第２の対の固定接点５９Ａ、５９Ｂとがコネクタ６０に接続される構成であるが、第２の実施形態においては、一対の固定接点１０４Ａ、１０４Ｂがコネクタ６０に接続される構成である。
【００９５】
［第２の実施形態の動作および作用］
図１４を参照して、第２の実施形態の動作および作用について説明する。第２の実施形態において、球体７７が嵌入した貫通孔が他の貫通孔より上方に位置し、かつ、固定接点１０４Ａ、１０４Ｂが球体７７と接触しない初期設定状態として、図１４の（Ａ）に示す状態のみが存在する。
【００９６】
地震が発生していない正常な状態において、箱体１０１の回動状態が図１４の（Ａ）に示す初期設定状態にある場合、固定接点１０４Ａ、１０４Ｂは、球体７７と接触していない開放状態にある。この開放状態においては、コンデンサＣＡにより蓄電された電圧はリセットＩＣ９１および発光ダイオードＤ１〜Ｄ６に供給されない。
【００９７】
（初期設定状態における地震発生時の動作および作用）
箱体１０１の回動状態が、図１４の（Ａ）に示す初期設定状態にある場合に、所定の振動以上の強い地震が発生したとき、球体７７は、右調整突部７９を乗り越えて右貫通孔７６から転がり出る。球体７７は、箱体１０１の底板７４の上面を転がり、左貫通孔７５に嵌入する。球体７７が左貫通孔７５に嵌入したとき、球体７７は、図１４の（Ｂ）に示すように、固定接点１０４Ａ、１０４Ｂにそれぞれ接触する。これにより、両固定接点１０４Ａ、１０４Ｂは、電気的に接続された閉成状態に変化する。なお、第２の実施形態においては、右調整突部７９のみが存在し、第１の実施形態における左調節突部７８は存在しない。
【００９８】
固定接点１０４Ａ、１０４Ｂが閉成状態に変化したことにより、コンデンサＣＡにより蓄電された電圧は、コネクタ８９、６０、および両固定接点１０４Ａ、１０４Ｂを介してリセットＩＣ９１の入力端子ＲＴ１に供給される。リセットＩＣ９１は、入力端子ＲＴ１に供給された電圧が所定値以上であるのか否かを判断する。入力端子ＲＴ１に供給された電圧が所定値以上であると判断したとき、リセットＩＣ９１は、出力端子ＲＴ３からリセット信号をトランジスタＥＴＲのゲートに供給し、トランジスタＥＴＲをオン状態に切り換える。
【００９９】
トランジスタＥＴＲがオン状態に切り換ったことにより、コンデンサＣＡにより蓄電された電圧は、コネクタ９０、９１を介して発光ダイオードＤ１〜Ｄ６に供給される。これにより、発光ダイオードＤ１〜Ｄ６が発光し、スライド扉３Ａ、３Ｂの周辺領域を照射する。
【０１００】
（初期設定状態への復帰の動作および作用）
地震がおさまって商用電源が復旧した場合、箱体１０１の回動状態は、図１４の（Ｂ）に示す状態にある。この状態においては、発光ダイオードＤ１〜Ｄ６は発光を継続している。このため、発光ダイオードＤ１〜Ｄ６の発光を停止して、次に発生する可能性のある地震に備える必要がある。ユーザは、図１４の（Ｂ）に示す所定の上方停止位置から操作体５４を下方に操作し、操作体５４の下係止孔８７Ｂを前ケース５０の下係止突起８６Ｂに係合させ、操作体５４を所定の下方停止位置に保持する。ユーザが操作体５４を下方に移動させることにより、箱体１０１の回動状態は、図１４の（Ｂ）に示す状態から、図１４の（Ｃ）に示す状態に変化する。
【０１０１】
図１４の（Ｃ）に示す状態は、左貫通孔７５に嵌入した球体７７が自重により左貫通孔７５から転がり出て、右調整突部７９を乗り越えて右貫通孔７６に嵌入することができる回動角度だけ、箱体１０１が回動した状態に設定される。球体７７が右貫通孔７６に嵌入して静止するのに充分な時間が経過した後に、ユーザは、操作体５４を所定の下方停止位置から所定の上方停止位置に移動させる。この操作体５４の操作により、箱体１０１の回動状態は、図１４の（Ｃ）に示す状態から、図１４の（Ａ）に示す初期設定状態に復帰する。図１４の（Ａ）に示す初期設定状態は、図１４の（Ｃ）に示す状態から図１４の（Ａ）に示す初期設定状態まで、箱体１０１の回動状態が変化している間、球体７７が右貫通孔７６に嵌入した状態が維持される回動角度だけ、箱体１０１が回動した状態に設定される。箱体１０１の回動状態が、図１４の（Ａ）に示す初期設定状態に復帰することにより、次に発生する可能性のある地震を検知することができる。
【０１０２】
［第２の実施形態の効果］
第２の実施形態では、一対の固定接点１０４Ａ、１０４Ｂがスイッチ基板１０３に配置される。この結果、スイッチ基板１０３の配線を簡易化するとともに、スイッチ基板１０３全体を小型化することができる。
【０１０３】
第２の実施形態では、箱体１０１の内部空間が延びる左右方向、すなわち、ほほ水平な方向において、回動軸部１０２が配置される。この結果、回動軸部が垂直方向において箱体の内部空間から離れた位置に配置される構成に比べ、地震検知装置１００全体を小型化することができる。
【０１０４】
＜構成の対応関係＞
スライド扉用照明装置１が、本発明の振動検知機能を有する作動装置の一例である。地震検知装置２２または地震検知装置１００は、本発明の振動検知装置の一例である。本体取付板３０および本体カバー３１が、本発明の筐体の一例である。開口３９、４０および透明板体４１、４２が、本発明の確認窓の一例である。前ケース５０および後ケース５１が、本発明の基体の一例である。第１の対の固定接点５８Ａ、５８Ｂ、および第２の対の５９Ａ、５９Ｂ、または一対の固定接点１０４Ａ、１０４Ｂが、本発明のスイッチ手段の一例であり、第１の対の固定接点５８Ａ、５８Ｂ、および第２の対の５９Ａ、５９Ｂが、本発明の第１のスイッチ手段および第２のスイッチ手段の一例である。スイッチ基板５２またはスイッチ基板１０３が、本発明の回路基板の一例である。箱体５３または箱体１０１が、本発明の箱体の一例であり、操作体５４が、本発明の操作体の一例である。回動軸部６２または回動軸部１０２の軸線が、本発明の所定回動軸線の一例である。前壁７０および後壁７１が、本発明の複数の壁面の一例であり、底板７４が、本発明の底面の一例である。貫通孔７５、７６が、本発明の開口部および載置部の一例であり、本発明の第１貫通孔および第２貫通孔の一例である。球体７７が、本発明の転動体の一例であり、本発明の球体の一例である。調整突部７８、７９が、本発明の調整部の一例である。発光ダイオードＤ１〜Ｄ６が、本発明の電気的作動手段の一例であり、本発明の複数の発光ダイオードの一例である。蓄電用コンデンサＣＡが、本発明の蓄電手段の一例である。スライド扉用発電装置２０の発電機が、本発明の発電手段の一例である。
【０１０５】
＜変形例＞
本発明は、第１および第２の本実施形態に限定されることはなく、その趣旨を逸脱しない範囲において種々の変形が可能である。以下にその変形の一例を述べる。
【０１０６】
（１）両実施形態では、スライド扉用照明装置１が、電動モータにより駆動される自動のスライド扉開閉装置２に取り付けられる構成であるが、手動のスライド扉開閉装置にも、人間の体重により開閉する半自動のスライド扉開閉装置にも取り付けることができる。半自動のスライド扉開閉装置は、特許第４２５３０３４号公報などにより公知である。
【０１０７】
（２）両実施形態は、スライド扉３Ａ、３Ｂの周辺領域を照射するスライド扉用照明装置１であるが、本発明は、映画館または劇場などの暗い場所において、地震などの振動が発生した異常状態を報知する警報音を発生する発音装置、または警報メッセージを表示する表示装置にも適用することができる。
【０１０８】
（３）両実施形態では、本発明の振動検知装置が地震検知装置２２、１００に具体化されたが、地震検知装置に限定されない。たとえば、車両などの移動体が衝突したときの振動の強さを検知する振動検知装置に本発明を具体化することもできる。この変形例においては、所定値以上の強い振動を検知したときに、移動体の安全装置が作動する構成が考えられる。
【０１０９】
（４）両実施形態では、スライド扉用発電装置２０の発電機がスライド扉３Ａの開閉動作により発電し、コンデンサＣＡに蓄電する構成であるが、この構成に限定されない。たとえば、コンデンサＣＡなどの蓄電手段は、スライド扉の設置場所以外の場所に設置され、太陽光または風力などの自然エネルギー、或いは室内光を利用した発電装置により発電された電力を蓄電する構成でも、地震が発生していない正常な状態において商用電源から供給された電力を蓄電する構成でもよい。
【０１１０】
（５）両実施形態では、箱体５３、１０１の内部空間が延びる左右方向、すなわち、ほぼ水平な方向において、回動軸部６２、１０２が配置される構成であるが、この構成に限定されない。たとえば、箱体の内部空間が延びる方向に垂直な方向において、箱体の内部空間から離れた位置に回動軸部を配置する構成でもよい。
【０１１１】
（６）両実施形態では、操作体５４は、後ケース５１の右端部６７に上下方向に移動可能に取り付けられる構成であるが、この構成に限定されない。たとえば、地震検知装置を構成する部材以外に、本体取付板３０および本体カバー３１など、地震検知装置が取り付けられる装置の構成部材に取り付けられる構成でもよい。
【０１１２】
（７）両実施形態では、リセットＩＣ９１および電界効果トランジスタＥＴＲが使用され、コンデンサＣＡの蓄電電圧が所定値に達しないときに、発光ダイオードＤ１〜Ｄ６への電力供給を遮断することにより、コンデンサＣＡの過放電による劣化を防止する構成であるが、リセットＩＣ９１および電界効果トランジスタＥＴＲを使用しない構成でもよい。この変形例においては、閉成状態になった固定接点のみを介してコンデンサから電力が発光ダイオードに供給される。
【０１１３】
（８）第２の実施形態では、箱体１０１は、左貫通孔７５と、右貫通孔７６とを底板７４に有する構成であるが、この構成に限定されない。たとえば、右貫通孔に代えて、箱体が、球体を載せるために底板から上方に突出した受け台を有する構成でもよい。
【符号の説明】
【０１１４】
１    スライド扉用照明装置
２０    スライド扉用発電装置
２２、１００    地震検知装置
３０    本体取付板
３１    本体カバー
３９、４０    開口
４１、４２    透明板体
４４    開口
５０    前ケース
５１    後ケース
５２、１０３    スイッチ基板
５３、１０１    箱体
５４    操作体
５８Ａ、５８Ｂ、５９Ａ、５９Ｂ、１０４Ａ、１０４Ｂ    固定接点
６２、１０２    回動軸部
７０    前壁
７４    底板
７５、７６    貫通孔
７７    球体
７８、７９    調整突部
Ｄ１〜Ｄ６    発光ダイオード
ＲＤ    逆流防止用ダイオード
ＣＡ    蓄電用コンデンサ
【図１】
2014153233.tif 000003
【図２】
2014153233.tif 000004
【図３】
2014153233.tif 000005
【図４】
2014153233.tif 000006
【図５】
2014153233.tif 000007
【図６】
2014153233.tif 000008
【図７】
2014153233.tif 000009
【図８】
2014153233.tif 000010
【図９】
2014153233.tif 000011
【図１０】
2014153233.tif 000012
【図１１】
2014153233.tif 000013
【図１２】
2014153233.tif 000014
【図１３】
2014153233.tif 000015
【図１４】
2014153233.tif 000016